(57)【要約】【課題】有用成分の含有量が高い白花蛇舌草を栽培する方法を提供する。【解決手段】白花蛇舌草を定植する定植ステップＳ１０１と、人工気象器において、光量子束密度の平均値が３２５μｍｏｌｍ−２ｓ−１以上である光を白花蛇舌草に対して照射する照射ステップＳ１０２とを含む。また、照射ステップＳ１０２では、水耕栽培で、栽培環境の温度を２５℃とし、湿度を７０％とし、１４時間の明期と１０時間の暗期とが繰り返されるように、光を照射する。また、定植ステップＳ１０１は、白花蛇舌草の、草丈が３０ｍｍ以上である挿し穂を定植することで、白花蛇舌草を定植する挿木ステップを含み、照射ステップＳ１０２では、挿木ステップで定植された挿し穂に対して光を照射する。【選択図】図１
2014050361.tif 000002
【特許請求の範囲】
【請求項１】
白花蛇舌草を定植する定植ステップと、
人工気象器において、前記定植ステップで定植した前記白花蛇舌草に対して光量子束密度の平均値が３２５μｍｏｌｍ−２ｓ−１以上である光を照射する照射ステップとを含む
白花蛇舌草の栽培方法。
【請求項２】
前記照射ステップでは、
水耕栽培で、栽培環境の温度を２５℃とし、湿度を７０％とし、１４時間の明期と１０時間の暗期とが繰り返されるように、前記光を照射する
請求項１に記載の白花蛇舌草の栽培方法。
【請求項３】
前記照射ステップでは、
２８日間継続して、前記光を照射する
請求項１又は２に記載の白花蛇舌草の栽培方法。
【請求項４】
前記定植ステップは、
白花蛇舌草の、草丈が３０ｍｍ以上である挿し穂を定植することで、前記白花蛇舌草を定植する挿木ステップを含み、
前記照射ステップでは、前記挿木ステップで定植された前記挿し穂に対して前記光を照射する
請求項１〜３のいずれか１項に記載の白花蛇舌草の栽培方法。
【請求項５】
前記白花蛇舌草の栽培方法は、さらに、
前記白花蛇舌草の栽培方法により栽培された前記白花蛇舌草の頂芽を含む３０ｍｍ以上の部分である頂芽部分を採取する採取ステップを含み、
前記定植ステップでは、
前記採取ステップで採取した前記頂芽部分を前記挿し穂として定植し、
前記定植ステップと、前記照射ステップと、前記採取ステップとが、この順で繰り返される
請求項４に記載の白花蛇舌草の栽培方法。
【請求項６】
前記定植ステップは、
白花蛇舌草の種子を含む土壌から、前記白花蛇舌草の種子をふるいを用いて分離し、分離された前記白花蛇舌草の種子を２５℃に維持することで、前記白花蛇舌草の種子を発芽させる発芽ステップを含み、
前記照射ステップでは、前記発芽ステップで発芽させて得られた前記白花蛇舌草に対して前記光を照射する
請求項１〜３のいずれか１項に記載の白花蛇舌草の栽培方法。
【請求項７】
前記発芽ステップでは、
１ｍｍメッシュのふるいを用いて前記白花蛇舌草の種子を分離する
請求項６に記載の白花蛇舌草の栽培方法。
【発明の詳細な説明】
【技術分野】
【０００１】
本発明は、白花蛇舌草の栽培方法に関する。
【背景技術】
【０００２】
薬用植物は、多くの医療品の原料として使用されており、世界中で需要が増加している。薬用植物の多くは、野生のものであり、栽培方法が確立されていない。日本で使用されている薬用植物の大半は外国からの輸入品である。世界中で薬用植物の需要が増加する状況において、日本国内で安定的に薬用植物を得るために、日本国内での安定的な薬用植物栽培方法の確立が求められている。
【０００３】
植物を安定的に栽培する方法として、植物工場において栽培する方法がある。植物工場では、閉鎖空間内に人工制御された栽培環境が構築される。そして、植物工場内の一定の環境下で植物を栽培することで、植物の安定供給や安全性の確保を実現することができる。
【０００４】
薬用植物の１つである白花蛇舌草（Hedyotis diffusa、和名：フタバムグラ）は、各種癌腫、尿路感染、盲腸炎、又は、急性慢性気管支炎などに効果があるとされる生薬であり、単用あるいは合剤として使用される。白花蛇舌草は、特に、制癌剤として高く評価されている。白花蛇舌草の有用成分は、イリドイド配糖体である。白花蛇舌草を制癌剤として使用するには、根をつけたままの白花蛇舌草の全草を採集し、水洗い後に日干しにするか、そのまま使用する。白花蛇舌草は、一般的に亜種と混合して栽培および収穫されるので、品質の劣化や純度の低下が懸念される。
【０００５】
白花蛇舌草と同様に、イリドイドを含むヘラオオバコについて、その加工物及び製造方法の関する技術が開示されている（例えば、特許文献１）。特許文献１によれば、イリドイドの含有量を損なわずに、その加工物を製造することができる。
【先行技術文献】
【特許文献】
【０００６】
【特許文献１】特開２００２−７２０９３号公報
【発明の概要】
【発明が解決しようとする課題】
【０００７】
現状、白花蛇舌草の栽培方法において、有用成分の含有量が高い白花蛇舌草を栽培する方法が確立されていない。
【０００８】
本発明が解決しようとする課題は、有用成分の含有量が高い白花蛇舌草を栽培する方法を提供することである。
【課題を解決するための手段】
【０００９】
上記課題を解決するために、本発明の一様態に係る白花蛇舌草の栽培方法は、白花蛇舌草を定植する定植ステップと、人工気象器において、前記定植ステップで定植した前記白花蛇舌草に対して光量子束密度の平均値が３２５μｍｏｌｍ−２ｓ−１以上である光を照射する照射ステップとを含む。
【００１０】
これによれば、人工気象器において、有用成分（イリドイド）の含有量が高い白花蛇舌草を栽培することができる。また、定植した白花蛇舌草だけを栽培し収穫することができるので、亜種と混合して収穫されることが防がれる。また、人工環境であるため、季節や天候の変化の影響を受けず、通年にわたって栽培することができる。
【００１１】
また、前記照射ステップでは、水耕栽培で、栽培環境の温度を２５℃とし、湿度を７０％とし、１４時間の明期と１０時間の暗期とが繰り返されるように、前記光を照射するとしてもよい。さらに、前記照射ステップでは、２８日間継続して、前記光を照射するとしてもよい。
【００１２】
これによれば、人工気象器において、より適した温度、湿度、又は、光量子束密度の条件の下で、有用成分の含有量が高い白花蛇舌草を栽培することができる。一般的に、露地栽培においては白花蛇舌草の収穫までに要する期間は約３ヶ月である。従って、露地栽培に対して、３倍程度の早さで収穫することができる。よって、有用成分の含有量が高い白花蛇舌草を、より早く栽培することができる。
【００１３】
また、前記定植ステップは、白花蛇舌草の、草丈が３０ｍｍ以上である挿し穂を定植することで、前記白花蛇舌草を定植する挿木ステップを含み、前記照射ステップでは、前記挿木ステップで定植された前記挿し穂に対して前記光を照射するとしてもよい。
【００１４】
これによれば、定植された草丈が３０ｍｍ以上の白花蛇舌草の挿し穂を成長させることで、白花蛇舌草を栽培することができる。挿し穂から栽培を始めることで、種子が発芽して成長するよりも栽培期間を短縮させることができる。よって、有用成分の含有量が高い白花蛇舌草を、より早く栽培することができる。
【００１５】
また、前記白花蛇舌草の栽培方法は、さらに、前記白花蛇舌草の栽培方法により栽培された前記白花蛇舌草の頂芽を含む３０ｍｍ以上の部分である頂芽部分を採取する採取ステップを含み、前記定植ステップでは、前記採取ステップで採取した前記頂芽部分を前記挿し穂として定植し、前記定植ステップと、前記照射ステップと、前記採取ステップとが、この順で繰り返されるとしてもよい。
【００１６】
これによれば、本発明に係る白花蛇舌草の栽培方法により栽培された白花蛇舌草を採取することで、挿し穂を作り、その挿し穂を挿し木することにより、白花蛇舌草のクローンとして増殖することができる。そして、上記の手順を繰り返すことにより、白花蛇舌草の定植、栽培及び収穫の一連のサイクルを継続的に繰り返すことができる。
【００１７】
また、前記定植ステップは、白花蛇舌草の種子を含む土壌から、前記白花蛇舌草の種子をふるいを用いて分離し、分離された前記白花蛇舌草の種子を２５℃に維持することで、前記白花蛇舌草の種子を発芽させる発芽ステップを含み、前記照射ステップでは、前記発芽ステップで発芽させて得られた前記白花蛇舌草に対して前記光を照射するとしてもよい。
【００１８】
これによれば、より高い濃度で白花蛇舌草の種子を含む土壌を得ることができる。そして、このようにして得られた土壌から、多くの白花蛇舌草を栽培することができる。よって、有用成分の含有量が高い白花蛇舌草を、より多く栽培することができる。
【００１９】
また、前記発芽ステップでは、１ｍｍメッシュのふるいを用いて前記白花蛇舌草の種子を分離するとしてもよい。
【００２０】
これによれば、白花蛇舌草の種子を分離するのに適した粗さのふるいを用いることにより、より高い濃度で白花蛇舌草の種子を含む土壌を得ることができる。そして、このようにして得られた土壌から、多くの白花蛇舌草を栽培することができる。
【００２１】
なお、本発明は、栽培方法として実現できるだけでなく、その栽培方法を構成する処理ステップを、栽培装置により実現することもできる。
【発明の効果】
【００２２】
本発明により、有用成分の含有量が高い白花蛇舌草を栽培することができる。
【図面の簡単な説明】
【００２３】
【図１】図１は、実施の形態１に係る栽培方法を示す図である。
【図２】図２は、実施の形態１に係る栽培方法における挿し穂の説明図である。
【図３】図３は、実施の形態１に係る栽培方法における環境設定値の例である。
【図４】図４は、実施の形態１に係る栽培方法における光量子束密度の設定値の例である。
【図５】図５は、実施の形態１に係る栽培方法で栽培される白花蛇舌草の外観の一例である。
【図６】図６は、実施の形態１に係る栽培方法で栽培される白花蛇舌草の草丈の一例である。
【図７】図７は、実施の形態１に係る栽培方法で栽培される白花蛇舌草の伸張速度の一例である。
【図８】図８は、実施の形態１に係る栽培方法で栽培される白花蛇舌草の生体重などの一例である。
【図９】図９は、実施の形態１に係る栽培方法で栽培される白花蛇舌草のイリドイド含有濃度の一例である。
【図１０】図１０は、白花蛇舌草の伸張速度の説明図である。
【発明を実施するための形態】
【００２４】
以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００２５】
なお、同一の構成要素には同一の符号を付し、説明を省略する場合がある。
【００２６】
（実施の形態１）
本実施の形態では、白花蛇舌草に照射する光量を制御することで、有用成分の含有量が高い白花蛇舌草を栽培する方法の例について説明する。
【００２７】
図１は、本実施の形態に係る栽培方法を示す図である。
【００２８】
図１に示されるように、本実施の形態に係る栽培方法では、まず、白花蛇舌草を定植する（定植ステップ）（ステップＳ１０１）。定植の方法には、種子から発芽させて育てた苗を定植する方法と、挿し穂を定植する方法とがある。
【００２９】
種子から発芽させる方法では、種子を含む土壌を発芽床に散布し、水を注水することにより種子を発芽させる（発芽ステップ）。ここで、以下のようにすることにより、さらに、発芽量を増やすことができる。
【００３０】
まず、ふるいにより種子を含む土壌を分離する。次に、分離された土壌を発芽床に散布し、蒸留水を注水することにより種子を発芽させる。このように発芽ステップにおいて、ふるいを用いて、白花蛇舌草の種子を含む土壌から、より高い濃度で白花蛇舌草の種子を含む土壌を分離することで、発芽量を増やすことができる。ふるいの粗さは、例えば、１ｍｍメッシュである。なお、分離された土壌を発芽床に散布した後、蒸留水とともに植物ホルモン（ジベレリン）を添加してもよい。植物ホルモン（ジベレリン）を添加することで、多くの種子が発芽する。
【００３１】
挿し穂を定植する方法について図２を参照して説明する（定植ステップ）。図２は、本実施の形態に係る栽培方法における挿し穂の説明図である。図２の（ａ）に示されるように、白花蛇舌草の頂芽から３０ｍｍとなる点で茎を切断し採取する（採取した部分を頂芽部分２０１とよぶ）。次に、図２の（ｂ）に示されるように、採取した頂芽部分２０１において、葉脈の長さが１０ｍｍ以上の葉を頂芽から４枚残すことで、白花蛇舌草の挿し穂２０２を得る。次に、蒸留水を十分染み込ませたスポンジの穴に挿し穂を挟み込む。そのスポンジをトレイ内に置き、蒸留水を注ぎ、ビニールラップで蓋をする。このトレイにおいて、育苗を行う。なお、頂芽を含む３０ｍｍの部分を頂芽部分２０１としたが、この長さは一例であり、その他の長さとしてもよい。
【００３２】
なお、露地栽培では、挿し木により白花蛇舌草を栽培することが難しいことが知られている。その理由は、仮に白花蛇舌草から採取された挿し穂を挿し木床に挿したとしても、挿し穂が乾燥してしまい、発根する前に枯れやすいためである。一方、人工気象器においては、挿し穂の発根に最適な環境になるように温度及び湿度を制御されるので、挿し穂が発根しやすい。
【００３３】
次に、人工気象器において、所定の環境設定値において、光を照射して白花蛇舌草を育成させる（照射ステップ）（ステップＳ１０２）。人工気象器とは、内部に植物の育成空間を有し、育成空間の温度、湿度、又は、光量子束密度などの環境条件を人工的に制御することができる装置である。
【００３４】
図３は、本実施の形態に係る栽培方法における環境設定値の例である。図３に示されるように、本実施の形態に係る栽培方法において、気温を２５℃、湿度を７０％、明暗周期を明期１０時間及び暗期１４時間とする。なお、実際の環境においては、当該設定値の１０％程度の範囲で環境設定値が変動する。上記の環境設定値に設定された人工気象器において、定植栽培を行う。定植栽培は、水耕栽培で行う。
【００３５】
図４は、本実施の形態に係る栽培方法における光量子束密度（平均値）の設定値の例である。「強光区」は、一般的な人工気象器における栽培より強い光を白花蛇舌草に照射して栽培する栽培区である。「弱光区」は、強光区より弱い光を白花蛇舌草に照射して栽培する栽培区である。この強光区のように、一般的な人工気象器における栽培より強い光を照射する（強光区）ことにより、有用成分の含有量が高い白花蛇舌草を栽培することができる。
【００３６】
例えば、強光区では光量子束密度の平均値を３２５．４μｍｏｌｍ−２ｓ−１とする。弱光区では光量子束密度の平均値を１１５．７μｍｏｌｍ−２ｓ−１とする。つまり、強光区における光量子束密度の平均値は、弱光区における光量子束密度の平均値の約３倍である。なお、本発明の栽培方法では、光量子束密度の平均値の上限は、約１０００μｍｏｌｍ−２ｓ−１である。なお、光量子束密度が約１０００μｍｏｌｍ−２ｓ−１である光を照射すると大きな発熱が生ずる。光量子束密度が約１０００μｍｏｌｍ−２ｓ−１である光を照射する場合には、排熱のための手段を設け、温度を低下させることが好ましい。
【００３７】
以上の環境設定値の下で、人工気象器において白花蛇舌草を栽培した場合の結果の一例について以下で説明する。
【００３８】
本栽培結果において、挿し穂を定植する方法によって、白花蛇舌草を定植する。挿し穂は、気温を２３℃、明期を１４時間及び暗期を１０時間とする環境設定で栽培した白花蛇舌草から得る。次に、気温を２５℃、湿度を７０％、明期を１４時間及び暗期を１０時間、光量子速密度を３１．５μｍｏｌｍ−２ｓ−１とする環境設定で育苗を１４日間行う。加工した挿し穂を、蒸留水を十分染み込ませたスポンジの穴に挿し穂を挟み込む。そのスポンジをトレイ内に１５個置き、蒸留水を水深が約１０ｍｍとなるように注ぎ、ビニールラップで蓋をする。なお、育苗サンプルのトレイは２つ（育苗サンプルは合計３０サンプル）である。この２つのトレイを人工気象器内に並べておき、育苗を行う。
【００３９】
次に、定植栽培を行う。定植栽培は、少なくとも約２８日間行われる。
【００４０】
定植栽培のときの人工気象器の環境設定値は、図３と同様である。また、光量子束密度が図４に示される強光区及び弱光区である２つの栽培区がある。なお、人工気象器内の上段を強光区とし、下段を弱光区とすることにより、強光区及び弱光区を１つの人工気象器内で実現してもよい。このように、強光区及び弱光区を１つの人工気象器内で実現すれば、強光区と弱光区とで光の強度だけが異なり、その他の環境設定値を強光区と弱光区とで共通にすることができる。なお、強光区と弱光区との光量差をつけるために寒冷紗を利用することができる。具体的には、人工気象器内の側面および壁面に二重に寒冷紗を張ることで弱光区を実現できる。このようにして、光量子束密度（平均値）がそれぞれ３２５．４μｍｏｌｍ−２ｓ−１、及び、１１５．７μｍｏｌｍ−２ｓ−１である強光区及び弱光区を実現できる。強光区の光量子束密度（平均値）は、弱光区の光量子束密度（平均値）の約３倍である。
【００４１】
また、定植栽培は、水耕栽培で行われる。トレイに大塚ハウスＡ処方１／２濃度の養液を３リットル入れ、穴の開いた発泡スチロールを浮かべ、その穴に白花蛇舌草のサンプルをはめ込む。５つのサンプルを１つのトレイに入れる。１栽培区につき、１０サンプル（２つのトレイ）がある。そして、トレイの底にエアーポンプを置き、養液に空気を送り込む。養液は７日毎に交換する。
【００４２】
図５は、本実施の形態に係る栽培方法で栽培される白花蛇舌草の外観の一例である。
【００４３】
図５の（ａ）は、強光区で栽培された白花蛇舌草の外観である。図５の（ｂ）は、強光区よりも弱い光を照射して栽培（弱光区）された白花蛇舌草の外観である。外観から、強光区で栽培された白花蛇舌草の方が、草丈が大きく、葉が多いことが観測される。
【００４４】
図６は、実施の形態１に係る栽培方法で栽培される白花蛇舌草の草丈の一例である。図６において、強光区および弱光区における定植栽培中の白花蛇舌草の草丈が、定植からの日数に対して示される。なお、図６に示される草丈は、複数のサンプルの平均値である。また、エラーバーは標準偏差である。
【００４５】
定植日から経過した日数（定植日数）ごとに強光区及び弱光区の草丈の間でウィルコクスン検定を行うと、定植日数１０日で、強光区及び弱光区の草丈の間に有意水準５％の有意差が見られる。また、定植日数１２日以降から定植日数２８日目の収穫まで、強光区及び弱光区の草丈に有意水準１％の有意差が見られる。つまり、強光区の草丈は、弱光区の草丈を有意に上回ることが示される。
【００４６】
次に、図７を参照して、白花蛇舌草の一日ごとの草丈の伸び率（以下、伸張速度）について説明する。図７は、本実施の形態に係る栽培方法で栽培される白花蛇舌草の伸張速度の一例である。図７に示されるように、定植２１日目以降において、強光区及び弱光区ともに伸張速度が減少する傾向がある。したがって、強光区及び弱光区ともに、ある定植日数で草丈が収束することが示唆される。また、草丈に有意差が観測される定植１０日目以降では、強光区の伸張成長速度の方が、弱光区の成長速度より高い。よって、定植期間の延長により草丈の差の大きさはさらに大きくなる可能性があると考えられる。
【００４７】
次に、分枝数について説明する。強光区における分枝数（平均値）は１３であり、弱光区における分枝数（平均値）は１１である。これらの分枝数においてウィルコクスン検定を行うと、有意水準１％の有意差が見られる。強光区におけるサンプルの方が、光合成が促進され成長が早まったことから、分枝数が多くなったと考えられる。
【００４８】
次に、図８を参照して、生体重、乾物重、及び、乾物率について説明する。図８は、本実施の形態に係る栽培方法で栽培される白花蛇舌草の生体重などの一例である。図８に示されるように、地上部及び根圏部のそれぞれにおける生体重、乾物重、及び、乾物率の項目について、その全ての項目において強光区における測定値のほうが弱光区の測定値よりも大きい。
【００４９】
上記の各項目の測定値について、強光区と弱光区との間でウィルコクスン検定を行うと、根圏部乾物率を除く全ての項目において有意水準１％で有意な差が見られる。その原因としては、強光により光合成の促進が起こり、光合成産物が多くなること、又は、サンプルの成長が早まったことなどが考えられる。
【００５０】
次に、図９を参照して、本実施の形態で栽培される白花蛇舌草において、白花蛇舌草の有用成分であるイリドイド（イリドイド配糖体）の含有量について説明する。本実施の形態で栽培される白花蛇舌草に対して、薄層クロマトグラフィーを使用してイリドイド含有の判別を行う。薄層クロマトグラフィーの結果、イリドイドのイリドイド配糖体Ａ及びイリドイド配糖体Ｂを含むことが示される。そこで、イリドイド配糖体Ａ及びイリドイド配糖体Ｂを対象とした液体クロマトグラフィーを行うことで、白花蛇舌草のイリドイド含有濃度が測定される。なお、本測定におけるイリドイド配糖体Ａは、（式１）に示される6-O-feruloylscandosideであり、イリドイド配糖体Ｂは、（式２）に示される6-O-p-coumaroylscandoside methyletherである。
【００５１】
【化１】
2014050361.tif 000003
【００５２】
【化２】
2014050361.tif 000004
【００５３】
図９は、本実施の形態に係る栽培方法で栽培される白花蛇舌草のイリドイド含有濃度の一例である。図９において、挿し木が定植されてから強光区及び弱光区のそれぞれで２８日間栽培された白花蛇舌草における、乾物重あたりのイリドイド含有濃度と、生体重あたりのイリドイド含有濃度とが示される。強光区と弱光区との間でウィルコクスン検定を行うと、全ての項目において有意水準１％で有意な差が見られる。図９に示されるイリドイド含有濃度から、弱光区よりも強光区で栽培された白花蛇舌草の方が、イリドイド含有量が高いことが示される。
【００５４】
以上より、人工気象器での白花蛇舌草の栽培方法において、光量子束密度に３倍程度の差を設けることにより草丈や分枝数、生体重、乾物重、地上部乾物率、及び、イリドイド含有濃度に有意な差が観測される。この栽培方法により、有用成分の含有量が高い白花蛇舌草を栽培することができる。また、安定的に白花蛇舌草を栽培することができる。また、人工気象器において白花蛇舌草だけを栽培するので、栽培後に亜種と混合されずに収穫することができる。
【００５５】
以上のように、本実施の形態に係る白花蛇舌草の栽培方法によれば、人工気象器において、有用成分（イリドイド）の含有量が高い白花蛇舌草を栽培することができる。また、定植した白花蛇舌草だけを収穫するので、亜種と混合して収穫されることが防がれる。また、人工環境であるため、季節や天候の変化の影響を受けず、通年にわたって栽培することができる。
【００５６】
また、人工気象器において、より適した温度、湿度、又は、光量子束密度の条件の下で、有用成分の含有量が高い白花蛇舌草を栽培することができる。露地栽培においては白花蛇舌草の収穫までに要する期間は約３ヶ月である。従って、露地栽培に対して、３倍程度の早さで収穫することができる。よって、有用成分の含有量が高い白花蛇舌草を、より早く栽培することができる。
【００５７】
また、より高い濃度で白花蛇舌草の種子を含む土壌を得ることができる。そして、このようにして得られた土壌から、多くの白花蛇舌草を栽培することができる。よって、有用成分の含有量が高い白花蛇舌草を、より多く栽培することができる。
【００５８】
また、白花蛇舌草の種子を分離するのに適した粗さのふるいを用いることにより、より高い濃度で白花蛇舌草の種子を含む土壌を得ることができる。そして、このようにして得られた土壌から、多くの白花蛇舌草を栽培することができる。
【００５９】
（実施の形態２）
本実施の形態では、白花蛇舌草の栽培方法における定植ステップにおいて、白花蛇舌草から採取した挿し穂を用いて、挿し木を定植することにより、白花蛇舌草の定植、栽培及び収穫の一連のサイクルを継続的に繰り返す方法について説明する。
【００６０】
図１０は、白花蛇舌草の伸張速度の説明図である。図１０において、定植からの栽培日数に対して、白花蛇舌草の草丈の一例（ｃ）が示される。また、（ｃ）から算出される、草丈３０ｍｍ未満の白花蛇舌草の伸張速度（ａ）と、草丈３０ｍｍ以上の白花蛇舌草の伸張速度（ｂ）とが示される。なお、定植からの栽培日数で表現すると、（ａ）は、定植後約１８日目までの白花蛇舌草の伸張速度であり、（ｂ）は、定植後約１８日目以降の白花蛇舌草の伸張速度である。
【００６１】
図１０に示されるように、草丈３０ｍｍ未満の白花蛇舌草の伸張速度（ａ）は、草丈３０ｍｍ以上の白花蛇舌草の伸張速度（ｂ）より大きい。よって、草丈３０ｍｍ以上の白花蛇舌草の挿し穂を定植（挿し木）することにより、定植後の伸張速度を大きくすることができる。
【００６２】
なお、草丈３０ｍｍ未満の白花蛇舌草の挿し穂を定植することも可能である。草丈３０ｍｍ未満の白花蛇舌草の挿し穂を定植すれば、草丈３０ｍｍ以上の白花蛇舌草の挿し穂を定植する場合よりも、草丈３０ｍｍになるまでの期間の伸張速度を小さくすることができる。つまり、図１０に示される日数と草丈との関係を利用して、所望の時期に、所望の草丈の白花蛇舌草を収穫するような生産調整が可能となる。
【００６３】
なお、このような栽培方法により、医療品の原料に用いられる薬用植物の高コスト化を抑制するという効果も得られる。医療品の原料として用いられる薬用植物は、通年にわたって需要がある。また、品質の高さが求められる。そのため、高品質のものが安定的に生産されることが求められる。本発明に係る白花蛇舌草の栽培方法によれば、高品質の白花蛇舌草が通年にわたって生産されるので、このような要求に応えることができる。
【００６４】
なお、実施の形態１の栽培方法により得られた白花蛇舌草の頂芽を含む３０ｍｍ以上の部分（頂芽部分）を挿し穂として採取することができる（採取ステップ）。そして、その頂芽部分を挿し木することで新たな白花蛇舌草を成長させ、成長した白花蛇舌草から新たな挿し穂を得るようにすることで、白花蛇舌草の定植、栽培及び収穫の一連のサイクルを継続的に繰り返すことができる。
【００６５】
以上のように、本実施の形態に係る白花蛇舌草の栽培方法によれば、定植された草丈が３０ｍｍ以上の白花蛇舌草の挿し穂を成長させることで、白花蛇舌草を栽培することができる。挿し穂から栽培を始めることで、種子が発芽して成長するよりも栽培期間を短縮させることができる。よって、有用成分の含有量が高い白花蛇舌草を、より早く栽培することができる。
【００６６】
また、本発明に係る白花蛇舌草の栽培方法により栽培された白花蛇舌草を採取することで、挿し穂を作り、その挿し穂を挿し木することにより、白花蛇舌草のクローンとして増殖することができる。そして、上記の繰り返すことにより、白花蛇舌草の定植、栽培及び収穫の一連のサイクルを継続的に繰り返すことができる。
【００６７】
以上、本発明の部品実装方法について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００６８】
本発明によれば、有用成分（イリドイド）の含有量が高い白花蛇舌草を栽培することができる。また、収穫される白花蛇舌草の品質の劣化や純度の低下を未然に防ぐことができる。
【符号の説明】
【００６９】
２０１      頂芽部分
２０２      挿し穂
Ｓ１０１    定植ステップ
Ｓ１０２    照射ステップ
【図１】
2014050361.tif 000005
【図２】
2014050361.tif 000006
【図３】
2014050361.tif 000007
【図４】
2014050361.tif 000008
【図６】
2014050361.tif 000009
【図７】
2014050361.tif 000010
【図８】
2014050361.tif 000011
【図９】
2014050361.tif 000012
【図１０】
2014050361.tif 000013
【図５】
2014050361.tif 000014